【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
画像表示のための信号を電気光学パネルに供給するインターフェース基板において、
前記ベースフィルムには複数の配線が形成され、
前記複数の配線は、前記ベースフィルムの一方の面に形成されたデータ伝送を行う配線を含み、
前記データ伝送を行う配線と平面的に重なり、且つ前記データ伝送を行う配線に沿って形成された導電部材が、前記ベースフィルムの他方の面に形成されてなり、
前記導電部材は、グラウンド配線に結線されてなることを特徴とするインターフェース基板。
【請求項２】
前記データ伝送を行う配線が、前記ベースフィルムに設けられたスルーホールを介して前記ベースフィルムの他方の面にも形成されてなり、
前記ベースフィルムの前記他方の面に形成された前記データ伝送を行う配線と平面的に重なり、且つ前記データ伝送を行う配線に沿って形成された導電部材が、前記ベースフィルムの前記一方の面にも形成されてなることを特徴とする請求項１に記載のインターフェース基板。
【請求項３】
前記導電部材の幅は、前記データ伝送を行う配線の幅の３倍以上の幅を有することを特徴とする請求項１又は請求項２に記載のインターフェース基板。
【請求項４】
前記データ伝送を行う配線は、第１の信号を伝送する第1の配線及び、前記第1の信号の反転信号を伝送する第２の配線を含んでなることを特徴とする請求項１乃至請求項３のいずれかに記載のインターフェース基板。
【請求項５】
請求項１乃至請求項４のいずれかに記載のインターフェース基板と、前記インターフェース基板に接続された電気光学パネルを具備してなることを特徴とする電気光学装置。
【請求項６】
請求項４に記載のインターフェース基板と、前記インターフェース基板に接続された電気光学パネルを具備し、
前記電気光学パネルは、複数の外部接続用配線、及びそれら外部接続用配線に接続されてなるドライバＩＣを含んでおり、
前記複数の外部接続用配線は、前記インターフェース基板に設けられた前記第１の配線、及び前記第２の配線のそれぞれに接続される外部接続用配線を具備してなることを特徴とする電気光学装置。
【請求項７】
前記第１の配線、及び前記第２の配線のそれぞれに接続される外部接続用配線間に、抵抗体が設けられてなることを特徴とする請求項６に記載の電気光学装置。
【請求項８】
請求項５乃至請求項７のいずれかに記載の電気光学装置を表示部に備えることを特徴とする電子機器。
【手続補正２】
【補正対象書類名】明細書
【補正対象項目名】発明の名称
【補正方法】変更
【補正の内容】
【発明の名称】インターフェース基板、電気光学装置及び電子機器
【手続補正３】
【補正対象書類名】明細書
【補正対象項目名】０００８
【補正方法】変更
【補正の内容】
【０００８】
本発明の１つの観点では、画像表示のための信号を電気光学パネルに供給するインターフェース基板において、前記ベースフィルムには複数の配線が形成され、前記複数の配線は、前記ベースフィルムの一方の面に形成されたデータ伝送を行う配線を含み、前記データ伝送を行う配線と平面的に重なり、且つ前記データ伝送を行う配線に沿って形成された導電部材が、前記ベースフィルムの他方の面に形成されてなり、前記導電部材は、グラウンド配線に結線されてなる。
【手続補正４】
【補正対象書類名】明細書
【補正対象項目名】０００９
【補正方法】変更
【補正の内容】
【０００９】
上記のインターフェース基板は、例えば、ＦＰＣ（Ｆｌｅｘｉｂｌｅ  Ｐｒｉｎｔｅｄ  Ｃｉｒｃｕｉｔ）であり、画像表示のための信号を電気光学パネルに供給する。前記ベースフィルムには複数の配線が形成され、前記複数の配線は、前記ベースフィルムの一方の面に形成されたデータ伝送を行う配線を含んでいる。前記複数の配線は、例えば、ＦＰＣ上にパターン形成されている。前記データ伝送を行う配線と平面的に重なり、且つ前記データ伝送を行う配線に沿って形成された導電部材が、前記ベースフィルムの他方の面に形成されてなる。前記導電部材は、例えば、銅（Ｃｕ）などで形成された金属膜である。前記導電部材は、グラウンド配線に結線されてなる。つまり、前記導電部材は、常に電位が０Ｖに設定されている。このようにすることで、データ伝送を行う配線に流れる高周波信号のロスを抑え、データ伝送を安定して行うことができる。
【手続補正５】
【補正対象書類名】明細書
【補正対象項目名】００１０
【補正方法】変更
【補正の内容】
【００１０】
上記のインターフェース基板の好適な実施例は、前記データ伝送を行う配線が、前記ベースフィルムに設けられたスルーホールを介して前記ベースフィルムの他方の面にも形成されてなり、前記ベースフィルムの前記他方の面に形成された前記データ伝送を行う配線と平面的に重なり、且つ前記データ伝送を行う配線に沿って形成された導電部材が、前記ベースフィルムの前記一方の面にも形成されてなる。
【手続補正６】
【補正対象書類名】明細書
【補正対象項目名】００１１
【補正方法】変更
【補正の内容】
【００１１】
上記のインターフェース基板の他の一態様は、前記導電部材の幅は、前記データ伝送を行う配線の幅の３倍以上の幅を有する。これにより、高速データ伝送を行う場合における高周波信号のロスを確実に防ぐことができる。
【手続補正７】
【補正対象書類名】明細書
【補正対象項目名】００１２
【補正方法】変更
【補正の内容】
【００１２】
上記のインターフェース基板の他の一態様は、前記データ伝送を行う配線は、第１の信号を伝送する第1の配線及び、前記第1の信号の反転信号を伝送する第２の配線を含んでなる。このように、差動信号を第１の配線及び第２の配線を対に用いて伝送することにより、低振幅で、且つ、高速データ伝送をすることができる。
【手続補正８】
【補正対象書類名】明細書
【補正対象項目名】００１３
【補正方法】変更
【補正の内容】
【００１３】
本発明の他の観点では、インターフェース基板と、前記インターフェース基板に接続された電気光学パネルを具備してなる電気光学装置を構成することができる。
【手続補正９】
【補正対象書類名】明細書
【補正対象項目名】００１４
【補正方法】変更
【補正の内容】
【００１４】
上記の電気光学装置の好適な実施例は、請求項４に記載のインターフェース基板と、前記インターフェース基板に接続された電気光学パネルを具備し、前記電気光学パネルは、複数の外部接続用配線、及びそれら外部接続用配線に接続されてなるドライバＩＣを含んでおり、前記複数の外部接続用配線は、前記インターフェース基板に設けられた前記第１の配線、及び前記第２の配線のそれぞれに接続される外部接続用配線を具備してなる。
【手続補正１０】
【補正対象書類名】明細書
【補正対象項目名】００１５
【補正方法】変更
【補正の内容】
【００１５】
上記の電気光学装置の他の一態様は、前記第１の配線、及び前記第２の配線のそれぞれに接続される外部接続用配線間に、抵抗体が設けられてなる。これにより、差動信号の波形歪みの発生を防止することができる。
【手続補正１１】
【補正対象書類名】明細書
【補正対象項目名】００１６
【補正方法】変更
【補正の内容】
【００１６】
本発明の他の観点では、上記の電気光学装置を表示部に備えることを特徴とする電子機器を構成することができる。